(57)【要約】  【課題】  復調用半導体回路の動作に必要な回路だけ装填し、実装効率を高め、全体の実装容積の増大を回避したＯＦＤＭダイバーシティ受信装置を提供する。  【解決手段】  高速フーリエ変換部５と信号合成部７、８を備えた複数段の第１復調用半導体回路３と、フーリエ変換部６と誤り訂正部９を備えた単一段の第２復調用半導体回路４を備え、各第１復調用半導体回路３及び第２復調用半導体回路４に異なる信号受信部２に接続して各信号受信部２の受信信号から得られたベースバンド信号をそれぞれフーリエ変換部５、６に供給し、各フーリエ変換部５、６でベースバンド信号をフーリエ変換して得られた変換信号を各第１復調用半導体回路の信号合成部７、８で合成して合成変換信号を形成し、その合成変換信号を誤り訂正部９に供給して誤り訂正を行い、誤り訂正部９からビット列を出力する。  【選択図】  図１
2005236638.tif 000002
【特許請求の範囲】
【請求項１】
１つの高速フーリエ変換部と２つの信号合成部とを備えた第１段乃至第ｎ段からなる複数段の第１復調用半導体回路と、１つのフーリエ変換部と１つの誤り訂正部とを備えた単一段の第２復調用半導体回路とを備え、前記複数段の第１復調用半導体回路及び前記単一段の第２復調用半導体回路は、高速フーリエ変換部にそれぞれ異なる信号受信部で受信した受信信号が供給され、前記第２段の第１復調用半導体回路は、一方の信号合成部に高速フーリエ変換部の出力信号と前記第１段の第１復調用半導体回路の高速フーリエ変換部の出力信号とが供給されてそれらの合成信号を形成し、前記第３段乃至第ｎ−１段の第１復調用半導体回路のそれぞれは、一方の信号合成部に高速フーリエ変換部の出力信号と前段の第１復調用半導体回路の信号合成部の合成信号とが供給されてそれらの合成信号を形成し、前記ｎ段の第１復調用半導体回路は、一方の信号合成部に高速フーリエ変換部の出力信号と前段の第１復調用半導体回路の信号合成部の合成信号とが供給されてそれらの合成信号を形成し、他方の信号合成部に前記形成した合成信号と前記単一段の第２復調用半導体回路の高速フーリエ変換部の出力信号とが供給されてそれらの合成信号を形成し、前記単一段の第２復調用半導体回路は、誤り訂正部に前記ｎ段の第１復調用半導体回路の他方の信号合成部の合成信号が供給され、その出力端からビット列が出力されることを特徴とするＯＦＤＭダイバーシティ受信装置。
【請求項２】
１つの高速フーリエ変換部と１つの信号合成部とを備えた第１段乃至第ｎ段からなる複数段の第１復調用半導体回路と、１つのフーリエ変換部と１つの誤り訂正部と１つの信号合成部とを備えた単一段の第２復調用半導体回路とを備え、前記複数段の第１復調用半導体回路及び前記単一段の第２復調用半導体回路は、高速フーリエ変換部にそれぞれ異なる信号受信部で受信した受信信号が供給され、前記第２段の第１復調用半導体回路は、信号合成部に高速フーリエ変換部の出力信号と前記第１段の第１復調用半導体回路の高速フーリエ変換部の出力信号とが供給されてそれらの合成信号を形成し、前記第３段乃至第ｎ段の第１復調用半導体回路のそれぞれは、信号合成部に高速フーリエ変換部の出力信号と前段の第１復調用半導体回路の信号合成部の合成信号とが供給されてそれらの合成信号を形成し、前記単一段の第２復調用半導体回路は、信号合成部に高速フーリエ変換部の出力信号と前記ｎ段の第１復調用半導体回路の信号合成部の合成信号とが供給されそれらの合成信号を形成し、誤り訂正部に前記信号合成部で形成した合成信号が供給され、その出力端からビット列が出力されることを特徴とするＯＦＤＭダイバーシティ受信装置。
【請求項３】
前記複数段の第１復調用半導体回路は、構成される段数が３段であることを特徴とする請求項１または請求項２のいずれかに記載のＯＦＤＭダイバーシティ受信装置。
【発明の詳細な説明】
【技術分野】
【０００１】
本発明は、地上波デジタル放送の受信が可能なＯＦＤＭダイバーシティ受信装置に係り、特に、テレビジョン放送の受信や車載用放送受信装置等の放送の移動受信を良好な放送受信特性で行うことができるＯＦＤＭダイバーシティ受信装置に関する。
【背景技術】
【０００２】
最近、地上波デジタル放送は、その伝送方式の規格化が進み、これまでのテスト放送段階から本放送段階に移りつつある。この場合、地上波デジタル放送に要求されている伝送方式規格としては、ハイビジョン放送が可能であること、放送の移動受信が可能であること、単一周波数ネットワーク（ＳＦＮ；Ｓｉｇｌｅ  Ｆｒｅｑｕｅｎｃｙ  Ｎｅｔｗｏｒｋ）による周波数の有効利用が可能であること、他のメディアとの間で共通の方式を持たせることが可能であること等が挙げられている。
【０００３】
これらの点から、地上波デジタル放送の信号伝送方式としては、反射電波や周囲雑音等による妨害波の影響を受け難く、移動受信が可能であるＯＦＤＭ（直交周波数分割多重；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式が採用され、全周波数帯域を帯域幅４３２ｋＨｚの複数セグメントに分割し、固定受信向けのテレビジョン放送と移動受信向けのデータ放送及び音声放送の混在伝送も可能なＢＳＴ−ＯＦＤＭ（Ｂａｎｄ  Ｓｅｇｍｅｎｔｅｄ  Ｔｒａｎｓｍｉｓｓｉｏｎ−ＯＦＤＭ）方式になっている。
【０００４】
ハイビジョン放送や多チャネルテレビジョン放送が行われる場合は、１３個のセグメントを使用し、放送信号として帯域幅５．６ＭＨｚの広帯域信号を用い、それらの放送信号を広帯域受信機によって受信する。また、移動受信向けのデータ放送及び音声放送の混在伝送が行われる場合は、複数（ｎ）個のＯＦＤＭセグメントを使用し、放送信号として帯域幅ｎ×４３２ｋＨｚの狭帯域信号を用い、それらの放送信号を携帯用受信機等の狭帯域受信機によって受信する。このようなＢＳＴ−ＯＦＤＭ方式を用いて、広帯域信号及び狭帯域信号に共通のセグメントを使用していることから、広帯域受信機においては狭帯域信号を受信することが可能になり、狭帯域受信機においては１３個のセグメントを使用した信号の中心部のセグメントを抜き出し、そのセグメントの信号を受信することが可能になるものである。
【０００５】
従来、使用されていたＯＦＤＭダイバーシティ受信装置は、それぞれ異なる複数の受信アンテナと、複数の受信アンテナにそれぞれ対応配置された複数の信号受信部と、複数の信号受信部にそれぞれ対応配置され、１つの高速フーリエ変換部と１つの誤り訂正部と１つの信号合成部とを備える複数個の復調用半導体回路とを具備している。
【０００６】
ここで、図３は、既知のＯＦＤＭダイバーシティ受信装置の構成の一例を示すブロック図である。
【０００７】
図３に示されるように、ＯＦＤＭダイバーシティ受信装置は、複数（４つ）の受信アンテナ３１（１）、３１（２）、３１（３）、３１（４）と、複数（４つ）の信号受信部（ＴＵ）３２（１）、３２（２）、３２（３）、３２（４）と、複数（４つ）の復調用半導体回路３３（１）、３３（２）、３３（３）、３３（４）とからなっている。この場合、復調用半導体回路３３（１）は、フーリエ変換部（ＦＦＴ）３４（１）と誤り訂正部（ＦＥＣ）３５（１）と信号合成部（＋）３６（１）を備え、復調用半導体回路３３（２）は、フーリエ変換部（ＦＦＴ）３４（２）と誤り訂正部（ＦＥＣ）３５（２）と信号合成部（＋）３６（２）を備え、復調用半導体回路３３（３）は、フーリエ変換部（ＦＦＴ）３４（３）と誤り訂正部（ＦＥＣ）３５（３）と信号合成部（＋）３６（３）を備え、復調用半導体回路３３（４）は、フーリエ変換部（ＦＦＴ）３４（４）と誤り訂正部（ＦＥＣ）３５（４）と信号合成部（＋）３６（４）を備えている。
【０００８】
そして、信号受信部３２（１）は、入力端が受信アンテナ３１（１）に接続され、出力端が復調用半導体回路３３（１）のフーリエ変換部３４（１）の入力端に接続されている。信号受信部３２（２）は、入力端が受信アンテナ３１（２）に接続され、出力端が復調用半導体回路３３（２）のフーリエ変換部３４（２）の入力端に接続されている。信号受信部３２（３）は、入力端が受信アンテナ３１（３）に接続され、出力端が復調用半導体回路３３（３）のフーリエ変換部３４（３）の入力端に接続されている。信号受信部３２（４）は、入力端が受信アンテナ３１（４）に接続され、出力端が復調用半導体回路３３（４）のフーリエ変換部３４（４）の入力端に接続されている。復調用半導体回路３３（１）において、フーリエ変換部３４（１）は、出力端が信号合成部３６（１）の一方の入力端に接続され、信号合成部３６（１）は、他方の入力端が接地点に接続された空き端子Ｏに接続され、出力端が復調用半導体回路３３（２）の信号合成部３６（２）の他方の入力端に接続されている。復調用半導体回路３３（２）において、フーリエ変換部３４（２）は、出力端が信号合成部３６（２）の一方の入力端に接続され、信号合成部３６（２）は、出力端が復調用半導体回路３３（３）の信号合成部３６（３）の他方の入力端に接続されている。復調用半導体回路３３（３）において、フーリエ変換部３４（３）は、出力端が信号合成部３６（３）の一方の入力端に接続され、信号合成部３６（３）は、出力端が復調用半導体回路３３（４）の信号合成部３６（４）の他方の入力端に接続されている。復調用半導体回路３３（４）において、フーリエ変換部３４（４）は、出力端が信号合成部３６（４）の一方の入力端に接続され、信号合成部３６（４）は、出力端が誤り訂正部３５（４）の入力端に接続され、誤り訂正部３５（４）は、出力端が利用回路（図示なし）に接続されている。
【０００９】
前記構成を有するＯＦＤＭダイバーシティ受信装置は、次のように動作する。
【００１０】
信号受信部３２（１）は、受信アンテナ３１（１）で無線信号を受信し、その受信信号を受信処理してベースバンド信号に変換し、変換したベースバンド信号を復調用半導体回路３３（１）に供給する。信号受信部３２（２）は、受信アンテナ３１（２）で無線信号を受信し、その受信信号を受信処理してベースバンド信号に変換し、変換したベースバンド信号を復調用半導体回路３３（２）に供給する。信号受信部３２（３）は、受信アンテナ３１（３）で無線信号を受信し、その受信信号を受信処理してベースバンド信号に変換し、変換したベースバンド信号を復調用半導体回路３３（３）に供給する。同じように、信号受信部３２（４）は、受信アンテナ３１（４）で無線信号を受信し、その受信信号を受信処理してベースバンド信号に変換し、変換したベースバンド信号を復調用半導体回路３３（４）に供給する。
【００１１】
復調用半導体回路３３（１）は、ベースバンド信号が供給されると、フーリエ変換部３４（１）でそのベースバンド信号を高速フーリエ変換し、変換信号を信号合成部３６（１）を通して復調用半導体回路３３（２）に供給する。復調用半導体回路３３（２）は、ベースバンド信号が供給されると、フーリエ変換部３４（２）でそのベースバンド信号を高速フーリエ変換し、変換信号を信号合成部３６（２）に供給する。このとき、信号合成部３６（２）は、この変換信号と復調用半導体回路３３（１）から供給された変換信号とを合成し、合成変換信号を復調用半導体回路３３（３）に供給する。復調用半導体回路３３（３）は、ベースバンド信号が供給されると、フーリエ変換部３４（３）でそのベースバンド信号を高速フーリエ変換し、変換信号を信号合成部３６（３）に供給する。このとき、信号合成部３６（３）は、この変換信号と復調用半導体回路３３（２）から供給された合成変換信号とを合成し、その合成変換信号を復調用半導体回路３３（４）に供給する。復調用半導体回路３３（４）は、ベースバンド信号が供給されると、フーリエ変換部３４（４）でそのベースバンド信号を高速フーリエ変換し、変換信号を信号合成部３６（４）に供給する。このとき、信号合成部３６（４）は、この変換信号と復調用半導体回路３３（２）から供給された合成変換信号とを合成し、その合成変換信号を誤り訂正部３５（４）に供給する。誤り訂正部３５（４）は、供給された合成変換信号の誤り訂正を行い、その出力端から利用回路にビット列が出力される。
【００１２】
前記ＯＦＤＭダイバーシティ受信装置は、それぞれの受信アンテナ３１（１）乃至３１（４）で個別に受信された受信信号をベースバンド信号に変換した後、フーリエ変換部３４（１）乃至３４（４）でそれぞれ高速フーリエ変換し、フーリエ変換した信号を合成するようにしているので、合成信号の搬送波対雑音比（Ｃ／Ｎ）が上昇し、誤り訂正した後のビット誤り率を低減することができるものである。
【００１３】
しかしながら、前記ＯＦＤＭダイバーシティ受信装置は、４つの復調用半導体回路３３（１）乃至３３（４）のそれぞれに、フーリエ変換部３４（１）乃至３４（４）と、誤り訂正部３５（１）乃至３５（４）と、信号合成部３６（１）乃至３６（４）とを有しており、その中で使用していない回路部分、例えば、誤り訂正部３５（１）乃至３５（４）について見れば、誤り訂正部３５（４）だけが使用されているに過ぎない。この場合、フーリエ変換部３４（１）乃至３４（４）と誤り訂正部３５（１）乃至３５（４）の回路規模は、ほぼ同じであるので、誤り訂正部３５（１）乃至３５（４）の不使用部分が多いと、その実装効率が低下するだけでなく、受信経路の増大により、信号合成部３６（１）乃至３６（４）の数が増えると、全体の実装容積が必要以上に増大し、ＯＦＤＭダイバーシティ受信装置を小型化することの障害になってしまう。
【特許文献１】該当する特許文献なし
【発明の開示】
【発明が解決しようとする課題】
【００１４】
本発明は、このような技術的背景に鑑みてなされたもので、その目的は、それぞれの復調用半導体回路の動作に必要な回路部分だけ装填させることにより、実装効率を高め、全体の実装容積の増大を回避させるようにしたＯＦＤＭダイバーシティ受信装置を提供することにある。
【課題を解決するための手段】
【００１５】
前記目的を達成するために、本発明によるＯＦＤＭダイバーシティ受信装置は、１つの高速フーリエ変換部と２つの信号合成部とを備えた第１段乃至第ｎ段からなる複数段の第１復調用半導体回路と、１つのフーリエ変換部と１つの誤り訂正部とを備えた単一段の第２復調用半導体回路とを備え、複数段の第１復調用半導体回路及び単一段の第２復調用半導体回路は、高速フーリエ変換部にそれぞれ異なる信号受信部で受信した受信信号が供給され、第２段の第１復調用半導体回路は、一方の信号合成部に高速フーリエ変換部の出力信号と第１段の第１復調用半導体回路の高速フーリエ変換部の出力信号とが供給されてそれらの合成信号を形成し、第３段乃至第ｎ−１段の第１復調用半導体回路のそれぞれは、一方の信号合成部に高速フーリエ変換部の出力信号と前段の第１復調用半導体回路の信号合成部の合成信号とが供給されてそれらの合成信号を形成し、ｎ段の第１復調用半導体回路は、一方の信号合成部に高速フーリエ変換部の出力信号と前段の第１復調用半導体回路の信号合成部の合成信号とが供給されてそれらの合成信号を形成し、他方の信号合成部に形成した合成信号と単一段の第２復調用半導体回路の高速フーリエ変換部の出力信号とが供給されてそれらの合成信号を形成し、単一段の第２復調用半導体回路は、誤り訂正部にｎ段の第１復調用半導体回路の他方の信号合成部の合成信号が供給され、その出力端に伝送信号列が形成される第１の手段を具備している。
【００１６】
また、前記目的を達成するために、本発明によるＯＦＤＭダイバーシティ受信装置は、１つの高速フーリエ変換部と１つの信号合成部とを備えた第１段乃至第ｎ段からなる複数段の第１復調用半導体回路と、１つのフーリエ変換部と１つの誤り訂正部と１つの信号合成部とを備えた単一段の第２復調用半導体回路とを備え、複数段の第１復調用半導体回路及び単一段の第２復調用半導体回路は、高速フーリエ変換部にそれぞれ異なる信号受信部で受信した受信信号が供給され、第２段の第１復調用半導体回路は、信号合成部に高速フーリエ変換部の出力信号と第１段の第１復調用半導体回路の高速フーリエ変換部の出力信号とが供給されてそれらの合成信号を形成し、第３段乃至第ｎ段の第１復調用半導体回路のそれぞれは、信号合成部に高速フーリエ変換部の出力信号と前段の第１復調用半導体回路の信号合成部の合成信号とが供給されてそれらの合成信号を形成し、単一段の第２復調用半導体回路は、信号合成部に高速フーリエ変換部の出力信号とｎ段の第１復調用半導体回路の信号合成部の合成信号とが供給されそれらの合成信号を形成し、誤り訂正部に信号合成部で形成した合成信号が供給され、その出力端に伝送信号列が形成される第２の手段を具備している。
【発明の効果】
【００１７】
本発明のＯＦＤＭダイバーシティ受信装置の第１の手段によれば、高速フーリエ変換部と２つの信号合成部とを備え、誤り訂正部を含まない複数段の第１復調用半導体回路と、フーリエ変換部と誤り訂正部とを備えた単一段の第２復調用半導体回路とを有し、複数段の第１復調用半導体回路及び単一段の第２復調用半導体回路のそれぞれに異なる信号受信部を結合させ、複数段の第１復調用半導体回路の高速フーリエ変換部と信号合成部とによりそれぞれの受信信号から導出したベースバンド信号を高速フーリエ変換した後で合成し、合成変換信号を得るとともに、単一段の第２復調用半導体回路の誤り訂正部でその合成変換信号の誤り訂正を行うことにより、それぞれの復調用半導体回路における不使用状態の誤り訂正部をなくしているので、実装効率を高めることができ、全体の実装容積の増大を回避させて小型化可能なＯＦＤＭダイバーシティ受信装置が得られるという効果がある。
【００１８】
また、本発明のＯＦＤＭダイバーシティ受信装置の第２の手段によれば、高速フーリエ変換部と信号合成部とを備え、誤り訂正部を含まない複数段の第１復調用半導体回路と、フーリエ変換部と誤り訂正部と信号合成部とを備えた単一段の第２復調用半導体回路とを有し、複数段の第１復調用半導体回路及び単一段の第２復調用半導体回路のそれぞれに異なる信号受信部を結合させ、複数段の第１復調用半導体回路の高速フーリエ変換部と信号合成部とによりそれぞれの受信信号から導出したベースバンド信号を高速フーリエ変換した後で合成し、合成変換信号を得るとともに、単一段の第２復調用半導体回路の誤り訂正部でその合成変換信号の誤り訂正を行うことにより、それぞれの復調用半導体回路における不使用状態の誤り訂正部をなくしているので、第１の手段と同じように、実装効率を高めることができ、全体の実装容積の増大を回避させて小型化可能なＯＦＤＭダイバーシティ受信装置が得られるという効果がある。
【発明を実施するための最良の形態】
【００１９】
以下、本発明の実施の形態を図面を参照して説明する。
【００２０】
図１は、本発明によるＯＦＤＭダイバーシティ受信装置の概要構成であって、その実施の形態の一例を示すブロック図である。
【００２１】
図１に示されるように、この実施の形態によるＯＦＤＭダイバーシティ受信装置は、複数（４つ）の受信アンテナ１（１）、１（２）、１（３）、１（４）と、複数（４つ）の信号受信部（ＴＵ）２（１）、２（２）、２（３）、２（４）と、複数（３つ）の第１復調用半導体回路３（１）、３（２）、３（３）と、単一の第２復調用半導体回路４とからなっている。この場合、第１復調用半導体回路３（１）は、第１段の復調用半導体回路であって、フーリエ変換部（ＦＦＴ）５（１）と第１信号合成部（＋）７（１）と第２信号合成部（＋）８（１）とを備えている。第１復調用半導体回路３（２）は、第２段の復調用半導体回路であって、フーリエ変換部（ＦＦＴ）５（２）と第１信号合成部（＋）７（２）と第２信号合成部（＋）８（２）とを備えている。第１復調用半導体回路３（３）は、第３段の復調用半導体回路であって、フーリエ変換部（ＦＦＴ）５（３）と第１信号合成部（＋）７（３）と第２信号合成部（＋）８（３）とを備えている。第２復調用半導体回路４は、フーリエ変換部（ＦＦＴ）６と誤り訂正部（ＦＥＣ）９とを備えている。
【００２２】
そして、信号受信部２（１）は、入力端が受信アンテナ１（１）に接続され、出力端が第１復調用半導体回路３（１）のフーリエ変換部５（１）の入力端に接続されている。信号受信部２（２）は、入力端が受信アンテナ１（２）に接続され、出力端が第１復調用半導体回路３（２）のフーリエ変換部５（２）の入力端に接続されている。信号受信部２（３）は、入力端が受信アンテナ１（３）に接続され、出力端が第１復調用半導体回路３（３）のフーリエ変換部５（３）の入力端に接続されている。信号受信部２（４）は、入力端が受信アンテナ１（４）に接続され、出力端が第２復調用半導体回路４のフーリエ変換部６の入力端に接続されている。
【００２３】
第１復調用半導体回路３（１）において、フーリエ変換部５（１）は、出力端が第１信号合成部７（１）の一方の入力端に接続され、第１信号合成部７（１）は、他方の入力端が接地点に接続された空き端子Ｏに接続され、出力端が復調用半導体回路３（２）の信号合成部７（２）の他方の入力端に接続されている。第１復調用半導体回路３（２）において、フーリエ変換部５（２）は、出力端が第１信号合成部７（２）の一方の入力端に接続され、第１信号合成部７（２）は、出力端が第１復調用半導体回路３（３）の第１信号合成部７（３）の他方の入力端に接続されている。第１復調用半導体回路３（３）において、フーリエ変換部５（３）は、出力端が第１信号合成部７（３）の一方の入力端に接続され、第１信号合成部７（３）は、出力端が第２信号合成部８（３）の一方の入力端に接続されている。第２信号合成部８（３）は、他方の入力端が第２復調用半導体回路４のフーリエ変換部６の出力端に接続され、出力端が第２復調用半導体回路４の誤り訂正部９の入力端に接続されている。第２復調用半導体回路４において、誤り訂正部９は、出力端が利用回路（図示なし）に接続されている。
【００２４】
前記構成を有するこの実施の形態によるＯＦＤＭダイバーシティ受信装置は、次のように動作する。
【００２５】
信号受信部２（１）は、受信アンテナ１（１）で無線信号を受信し、その受信信号を受信処理してベースバンド信号に変換し、変換したベースバンド信号を第１復調用半導体回路３（１）に供給する。信号受信部２（２）は、受信アンテナ１（２）で無線信号を受信し、その受信信号を受信処理してベースバンド信号に変換し、変換したベースバンド信号を第１復調用半導体回路３（２）に供給する。信号受信部２（３）は、受信アンテナ１（３）で無線信号を受信し、その受信信号を受信処理してベースバンド信号に変換し、変換したベースバンド信号を第１復調用半導体回路３（３）に供給する。信号受信部２（４）は、受信アンテナ１（４）で無線信号を受信し、その受信信号を受信処理してベースバンド信号に変換し、変換したベースバンド信号を第２復調用半導体回路４に供給する。
【００２６】
第１復調用半導体回路３（１）は、信号受信部２（１）からベースバンド信号が供給されると、フーリエ変換部５（１）でそのベースバンド信号を高速フーリエ変換し、変換信号を第１信号合成部７（１）を通して第１復調用半導体回路３（２）の第１信号合成部７（２）に供給する。第１復調用半導体回路３（２）は、信号受信部２（２）からベースバンド信号が供給されると、フーリエ変換部５（２）でそのベースバンド信号を高速フーリエ変換し、変換信号を第１信号合成部７（２）に供給する。このとき、第１信号合成部７（２）は、この変換信号と第１復調用半導体回路３（１）から供給された変換信号とを合成し、合成変換信号を第１復調用半導体回路３（３）の第１信号合成部７（３）に供給する。第１復調用半導体回路３（３）は、信号受信部２（３）からベースバンド信号が供給されると、フーリエ変換部５（３）でそのベースバンド信号を高速フーリエ変換し、変換信号を第１信号合成部７（３）に供給する。このとき、第１信号合成部７（３）は、この変換信号と第１復調用半導体回路３（２）から供給された合成変換信号とを合成し、その合成変換信号を第２信号合成部８（３）に供給する。第２信号合成部８（３）は、その合成変換信号と第２復調用半導体回路４のフーリエ変換部６から供給される変換信号とを合成し、得られた合成変換信号を第２復調用半導体回路４の誤り訂正部９に供給する。第２復調用半導体回路４は、信号受信部２（４）からベースバンド信号が供給されると、フーリエ変換部６でそのベースバンド信号を高速フーリエ変換し、変換信号を前述のように第１復調用半導体回路３（３）の第２信号合成部８（３）に供給する。誤り訂正部３５（４）は、第１復調用半導体回路３（３）から供給された合成変換信号に対して誤り訂正処理を行い、その出力端から利用回路にビット列が出力される。
【００２７】
このように、この実施の形態のＯＦＤＭダイバーシティ受信装置によれば、それぞれ高速フーリエ変換部５（１）乃至５（３）と、第１信号合成部７（１）乃至７（３）及び第２信号合成部８（１）乃至８（３）とを備え、誤り訂正部を含まない複数（３つ）段の第１復調用半導体回路３（１）乃至３（３）と、フーリエ変換部６と誤り訂正部９とを備えた単一段の第２復調用半導体回路４とを有し、複数段の第１復調用半導体回路３（１）乃至３（３）及び単一段の第２復調用半導体回路４のそれぞれに異なる信号受信部２（１）乃至２（４）を結合させ、複数段の第１復調用半導体回路３（１）乃至３（３）の高速フーリエ変換部５（１）乃至５（３）と第１信号合成部７（２）、７（３）及び第２信号合成部８（３）によりそれぞれの受信信号から導出したベースバンド信号を高速フーリエ変換した後で合成し、合成変換信号を得るとともに、単一段の第２復調用半導体回路４の誤り訂正部９でその合成変換信号の誤り訂正を行うことにより、各第１復調用半導体回路３（１）乃至３（３）における不使用状態の誤り訂正部をなくしているので、実装効率を高めることができ、全体の実装容積の増大を回避させて小型化可能なＯＦＤＭダイバーシティ受信装置を得ることができる。
【００２８】
なお、この実施の形態においては、複数の第１復調用半導体回路として３つの第１復調用半導体回路３（１）乃至３（３）を用いた例を挙げているが、本発明において使用される第１復調用半導体回路の数は３つである場合に限られるものでなく、複数であれば、３つ以外の他の数、例えば２つまたは４つであってもよい。そして、第１復調用半導体回路の数が３つ以外の数になれば、その数と同数の受信アンテナ及び信号受信部をそれぞれ配置する必要があり、かつ、第１復調用半導体回路の各構成要素間の接続も、その数に対応したものにする必要があることは勿論である。
【００２９】
次に、図２は、本発明によるＯＦＤＭダイバーシティ受信装置の概要構成であって、その実施の形態の他の例を示すブロック図である。
【００３０】
図２に示されるように、この実施の形態によるＯＦＤＭダイバーシティ受信装置は、複数（４つ）の受信アンテナ１（１）、１（２）、１（３）、１（４）と、複数（４つ）の信号受信部（ＴＵ）２（１）、２（２）、２（３）、２（４）と、複数（３つ）の第１復調用半導体回路１０（１）、１０（２）、１０（３）と、単一の第２復調用半導体回路１１とからなっている。この場合、第１復調用半導体回路１０（１）は、第１段の復調用半導体回路であって、フーリエ変換部（ＦＦＴ）１２（１）と信号合成部（＋）１３（１）とを備えている。第１復調用半導体回路１０（２）は、第２段の復調用半導体回路であって、フーリエ変換部（ＦＦＴ）１２（２）と信号合成部（＋）１３（２）とを備えている。第１復調用半導体回路１０（３）は、第３段の復調用半導体回路であって、フーリエ変換部（ＦＦＴ）１２（３）と信号合成部（＋）１３（３）を備えている。第２復調用半導体回路１１は、フーリエ変換部（ＦＦＴ）１４と誤り訂正部（ＦＥＣ）１５と信号合成部（＋）１６とを備えている。
【００３１】
そして、信号受信部２（１）は、入力端が受信アンテナ１（１）に接続され、出力端が第１復調用半導体回路１０（１）のフーリエ変換部１２（１）の入力端に接続されている。信号受信部２（２）は、入力端が受信アンテナ１（２）に接続され、出力端が第１復調用半導体回路１０（２）のフーリエ変換部１２（２）の入力端に接続されている。信号受信部２（３）は、入力端が受信アンテナ１（３）に接続され、出力端が第１復調用半導体回路１０（３）のフーリエ変換部１２（３）の入力端に接続されている。信号受信部２（４）は、入力端が受信アンテナ１（４）に接続され、出力端が第２復調用半導体回路１１のフーリエ変換部１４の入力端に接続されている。
【００３２】
第１復調用半導体回路１０（１）において、フーリエ変換部１２（１）は、出力端が信号合成部１３（１）の一方の入力端に接続され、信号合成部１３（１）は、他方の入力端が接地点に接続された空き端子Ｏに接続され、出力端が復調用半導体回路１０（２）の信号合成部１３（２）の他方の入力端に接続されている。第１復調用半導体回路１０（２）において、フーリエ変換部１２（２）は、出力端が信号合成部１３（２）の一方の入力端に接続され、信号合成部１３（２）は、出力端が第１復調用半導体回路１０（３）の信号合成部１３（３）の他方の入力端に接続されている。第１復調用半導体回路１０（３）において、フーリエ変換部１２（３）は、出力端が信号合成部１３（３）の一方の入力端に接続され、信号合成部１３（３）は、出力端が第２復調用半導体回路１１の信号合成部１６の他方の入力端に接続されている。第２復調用半導体回路１１において、フーリエ変換部１４は、出力端が信号合成部１６の一方の入力端に接続されている。信号合成部１６は、出力端が誤り訂正部１５の入力端に接続され、誤り訂正部１５は、出力端が利用回路（図示なし）に接続されている。
【００３３】
前記構成を有するこの実施の形態によるＯＦＤＭダイバーシティ受信装置は、次のように動作する。
【００３４】
信号受信部２（１）は、受信アンテナ１（１）で無線信号を受信し、その受信信号を受信処理してベースバンド信号に変換し、変換したベースバンド信号を第１復調用半導体回路１０（１）に供給する。信号受信部２（２）は、受信アンテナ１（２）で無線信号を受信し、その受信信号を受信処理してベースバンド信号に変換し、変換したベースバンド信号を第１復調用半導体回路１０（２）に供給する。信号受信部２（３）は、受信アンテナ１（３）で無線信号を受信し、その受信信号を受信処理してベースバンド信号に変換し、変換したベースバンド信号を第１復調用半導体回路１０（３）に供給する。信号受信部２（４）は、受信アンテナ１（４）で無線信号を受信し、その受信信号を受信処理してベースバンド信号に変換し、変換したベースバンド信号を第２復調用半導体回路１１に供給する。
【００３５】
第１復調用半導体回路１０（１）は、信号受信部２（１）からベースバンド信号が供給されると、フーリエ変換部１０（１）でそのベースバンド信号を高速フーリエ変換し、変換信号を信号合成部１３（１）を通して第１復調用半導体回路１０（２）の信号合成部１３（２）に供給する。第１復調用半導体回路１０（２）は、信号受信部２（２）からベースバンド信号が供給されると、フーリエ変換部１０（２）でそのベースバンド信号を高速フーリエ変換し、変換信号を信号合成部１３（２）に供給する。このとき、信号合成部１３（２）は、この変換信号と第１復調用半導体回路１０（１）から供給された変換信号とを合成し、合成変換信号を第１復調用半導体回路１０（３）の信号合成部１３（３）に供給する。第１復調用半導体回路１０（３）は、信号受信部２（３）からベースバンド信号が供給されると、フーリエ変換部１２（３）でそのベースバンド信号を高速フーリエ変換し、変換信号を信号合成部１３（３）に供給する。このとき、信号合成部１３（３）は、この変換信号と第１復調用半導体回路１０（２）から供給された合成変換信号とを合成し、その合成変換信号を第２復調用半導体回路１１の信号合成部１６に供給する。第２復調用半導体回路１１は、信号受信部２（４）からベースバンド信号が供給されると、フーリエ変換部１４でそのベースバンド信号を高速フーリエ変換し、変換信号を信号合成部１６に供給する。信号合成部１６は、この変換信号と第１復調用半導体回路１０（３）から供給された合成変換信号とを合成し、その合成変換信号を誤り訂正部１５に供給する。誤り訂正部１５は、供給された合成変換信号に対して誤り訂正処理を行い、その出力端から利用回路にビット列が出力される。
【００３６】
このように、この実施の形態のＯＦＤＭダイバーシティ受信装置によれば、それぞれフーリエ変換部１２（１）乃至１２（３）と、信号合成部１３（１）乃至１３（３）とを備え、誤り訂正部を含まない複数（３つ）段の第１復調用半導体回路１０（１）乃至１０（３）と、フーリエ変換部１４と誤り訂正部１５と信号合成部１６とを備えた単一段の第２復調用半導体回路１１とを有し、複数段の第１復調用半導体回路１０（１）乃至１０（３）及び単一段の第２復調用半導体回路１１のそれぞれに異なる信号受信部２（１）乃至２（４）を結合させ、複数段の第１復調用半導体回路１０（１）乃至１０（３）のフーリエ変換部１２（１）乃至１２（３）及び単一段の第２復調用半導体回路１１のフーリエ変換部１４と複数段の第１復調用半導体回路１０（１）乃至１０（３）の信号合成部１３（２）、１３（３）及び単一段の第２復調用半導体回路１１の信号合成部１６によりそれぞれの受信信号から導出したベースバンド信号を高速フーリエ変換した後で合成し、合成変換信号を得るとともに、単一段の第２復調用半導体回路１１の誤り訂正部９でその合成変換信号の誤り訂正を行うことにより、各第１復調用半導体回路１０（１）乃至１０（３）における不使用状態の誤り訂正部をなくしているので、実装効率を高めることができ、全体の実装容積の増大を回避させて小型化可能なＯＦＤＭダイバーシティ受信装置を得ることができる。
【００３７】
なお、この実施の形態においても、複数の第１復調用半導体回路として３つの第１復調用半導体回路１０（１）乃至１０（３）を用いた例を挙げているが、本発明において使用される第１復調用半導体回路の数は３つである場合に限られるものでなく、複数であれば、３つ以外の他の数、例えば２つまたは４つであってもよい。そして、第１復調用半導体回路の数が３つ以外の数になれば、その数と同数の受信アンテナ及び信号受信部をそれぞれ配置する必要があり、かつ、第１復調用半導体回路の各構成要素間の接続も、その数に対応したものにする必要があることは勿論である。
【図面の簡単な説明】
【００３８】
【図１】本発明によるＯＦＤＭダイバーシティ受信装置の概要構成であって、その実施の形態の一例を示すブロック図である。
【図２】本発明によるＯＦＤＭダイバーシティ受信装置の概要構成であって、その実施の形態の他の例を示すブロック図である。
【図３】既知のＯＦＤＭダイバーシティ受信装置の構成の一例を示すブロック図である。
【符号の説明】
【００３９】
１（１）〜１（４）  受信アンテナ
２（１）〜２（４）  信号受信部（ＴＵ）
３（１）〜３（３）  第１復調用半導体回路
４  第２復調用半導体回路
５（１）〜５（３）、６  フーリエ変換部（ＦＦＴ）
７（１）〜７（３）  第１信号合成部（＋）
８（１）〜８（３）  第２信号合成部（＋）
９  誤り訂正部（ＦＥＣ）
１０（１）〜１０（３）  第１復調用半導体回路
１１  第２復調用半導体回路
１２（１）〜１２（３）、１４  フーリエ変換部（ＦＦＴ）
１３（１）〜１３（３）、１６  信号合成部（＋）
１５  誤り訂正部（ＦＥＣ）
【図１】
2005236638.tif 000003
【図２】
2005236638.tif 000004
【図３】
2005236638.tif 000005